(57)【要約】【課題】避難不能な人でも安全に避難できるようにした津波避難用装置を提供することにある。【解決手段】裾下の下避難路から近い裾部分に掘削洞を形成してその内部に内張材と支柱を設けて補強するとともに前面には避難扉を密閉式に備え、かつ避難室内には、内部に溜まる水の排出手段と空調手段を設備してなる。【選択図】図１
2010121436.tif 000002
【特許請求の範囲】
【請求項１】
裾下の下避難路から近い裾部分に掘削洞を形成してその内部に内張材と支柱を設けて補強するとともに前面には避難扉を密閉式に備え、かつ避難室内には、内部に溜まる水の排出手段と空調手段を設備してなる津波避難用装置。
【請求項２】
請求項１に記載の津波避難用装置において、内張材はボックスあるいはアーチ型のカルバートの埋め込みで形成されている津波避難用装置。
【請求項３】
請求項１に記載の津波避難用装置において、室内の給電はソーラーパネルなどによる太陽光発電手段によりなされている津波避難用装置。
【請求項４】
基礎ブロックと開閉蓋付きマンホール部を備えた函型マンホールと、ボックス型やアーチ型で代表されるカルバートとを互いに組み合わせて前記マンホール部を地盤から突き出した状態にして地盤内に形成した埋設穴内に埋設するとともに、室内には、内部に溜まる水の排出手段と空調手段を備えてなる津波避難用装置。
【請求項５】
基礎ブロックと開閉蓋付きマンホール部を備えた函型マンホールと、ボックス型やアーチ型で代表されるカルバートとを互いに組み合わせて地盤上に設置するとともに、これら函型マンホールとカルバートの組み合わせを前記マンホール部を突き出すようにして盛土で埋設してなる津波避難用装置。
【発明の詳細な説明】
【技術分野】
【０００１】  本発明は、津波避難用装置に関する。
【背景技術】
【０００２】  大地震の発生に伴って津波が発生することがあるが、その場合、旧来から高台へ登って避難するように教えられている。
【発明の開示】
【発明が解決しようとする課題】
【０００３】  ところが高台には避難可能な人と老人などのように避難不能な人とがあり、避難できない人にとっては津波は非常に恐怖なものである。
上記に鑑み、本発明は、その解決策として津波避難用装置を開発した。【０００４】  上記課題を解決するため、請求項１記載の発明は、裾下の下避難路から近い裾部分に掘削洞を形成してその内部に内張材と支柱を設けて補強するとともに前面には避難扉を密閉式に備え、かつ避難室内には、内部に溜まる水の排出手段と空調手段を設備してなる。
請求項２に記載の発明は、請求項１に記載の津波避難用装置において、内張材はボックスあるいはアーチ型のカルバートの埋め込みで形成されている。
請求項３に記載の発明は、請求項１に記載の津波避難用装置において、室内の給電はソーラーパネルなどによる太陽光発電手段によりなされている。
請求項４に記載の発明は、基礎ブロックと開閉蓋付きマンホール部を備えた函型マンホールと、ボックス型やアーチ型で代表されるカルバートとを互いに組み合わせて前記マンホール部を地盤から突き出した状態にして地盤内に形成した埋設穴内に埋設するとともに、室内には、内部に溜まる水の排出手段と空調手段を備えてなる。
請求項５に記載の発明は、基礎ブロックと開閉蓋付きマンホール部を備えた函型マンホールと、ボックス型やアーチ型で代表されるカルバートとを互いに組み合わせて地盤上に設置するとともに、これら函型マンホールとカルバートの組み合わせを前記マンホール部を突き出すようにして盛土で埋設してなる。
【発明の効果】
【０００５】  本発明によれば、裾下の下避難路から近い裾部分に掘削洞を形成してその内部に内張材と支柱を設けて補強するとともに前面には避難扉を密閉式に備え、かつ避難室内には、内部に溜まる水の排出手段と空調手段を設備してなるので、避難不能な人でも安全に避難できるようになる。
【発明を実施するための最良の形態】
【０００６】  以下、図示する実施形態により本発明を詳細に説明する。
尚、以下の各実施形態で説明する個々の開示例は他の実施形態にも適用されるものとする。
図１は津波からの避難装置についての他の実施形態を示し、例えば、津波発生時に高いところまで登れない人を対象にして高いところに登る必要なくして裾下の下避難路から０ｍあるいは数ｍ以内の極めて低い裾部分に緊急避難できるようにしたものである。また、津波襲来高さが数十メートルと想定されることがある特定地帯を対象にして、例えば、高い避難用タワーを構築する莫大な費用も必要なくして安価な装置でもって安全を確保できるようにするためのものである。【０００７】  ３０９は裾部分で、その中に水平方向の掘削洞３１０を形成する。同掘削洞３１０は、四角や丸型の断面をしており、奥に向けて直線状に伸びたものとしたり、図１および図２（横断模式図）のようにＡ室・Ｂ室でなるＴ字形、さらには図２の右下欄のように十字形などにすることができる。【０００８】  この掘削洞３１０の中には、横断面上の四辺に添って内張材３１１…が張りめぐらされるとともに落盤を防止するために洞中央位置に添って複数本の支柱３１２…が固定されている。内張材３１１は吹付けモルタルでもよく、また、図１の右上欄に示すようにボックスカルバートやアーチカルバートなどでもよい。【０００９】  支柱３１２…を利用して避難椅子３１３…を渡して固定してもよい。この避難椅子３１３はベッドを兼ねるものにすれば数日避難生活を送ることができる。
３１５は前面口周りに埋め込まれた基枠で、浸水防止用の基パッキン３１６を介して扉受枠３１７が固定されるとともに、扉受枠３１７の前面にはヒンジ３１８を介して開閉自在な避難扉３１９が取り付けられている。扉３１９は浸水防止用の扉パッキン３２０を備えるとともに把手３２１を備える。【００１０】  掘削洞３１０の底部には水溜め３２３が設けられており、その水溜め３２３にはポンプ３２４が設置されて伸縮可能な排水チューブ３２５を介して扉３１９を通じて外部に排水可能とされている。その電力は、上方に設置したソーラーパネル３２６および制御盤３２７からの配線を通じて送られる。バッテリーは図示省略する。３２８は歩み底板である。
３３０はエアーコンディショナーで、伸縮可能な吸気チューブ３３１と排気チューブ３３２とを扉３１９を通じて外部に導くことで浸水できない逆Ｕ字形の吸気部３３３と排気部３３４とに連通するようにし、ソーラーパネル３２６からの電力を利用して給排可能に構成してある。【００１１】  ３３５は水タンクで、例えば、避難椅子３１３の下側に設置してある。３３６は山斜面を流れ落ちる雨水から斜面を護り雨水を斜面の方向に導き流すためのガイド板である。３３７は避難階段、３３８は手摺り、３３９は避難時警報灯である。
尚、水溜め３２３からはポンプなしで内水を流し出すためのドレン３４０を設けてもよい。ソーラーによる電力が供給されない場合も想定して給排気を手動で行うための機器を設けておいてもよい。【００１２】  図１のように避難階段３３７を登って扉３１９を開閉することにより内部に避難しておくことで室内では安全が確保される。また、室内では空気も確保されるとともに溜まった水も排出できるので安全かつ快適である。扉３１９が土砂などで閉塞して外部に戻れない場合でも警報発して救助を待つことができ安全である。【００１３】  図３は、一般家庭用の津波対策例を示す。同実施形態は、図１および図２の実施形態と同様の目的をもち、例えば、家屋３４１の庭３４２内に津波避難用装置を埋め込み式に設備して安全を確保することができるようにしたものである。【００１４】  庭地盤３４３に仮想線で示す埋設穴３４４を掘削してその底面に砕石３４５と基礎コンクリート３４６を施工して沈下しないようにしたあと、その上に大型の函型マンホール３４８の基礎ブロック下３４９をクレーンで吊り下ろして底面水平に設置する。この基礎ブロック下３４９の上に管芯が合致するようにして基礎ブロック上３５０を載せたあと頂版３５１を載せて図示しない連結ボルトで上下ブロック間を結合する。
設置深さによれば基礎ブロック上３５０と頂版３５１との間に中間ブロックや中床版を適宜に介装固定することがある。
頂版３５１上には円形マンホール部３５２を設置連結してその上端開口に開閉蓋３５３を取り付ける。この円形マンホール部３５２は省略して頂版３５１が地表に突き出すようにしてその開口に開閉蓋を装備することもある。【００１５】  マンホールの設置後、基礎ブロックの開口を介して、蓋３５５付きボックスカルバート（あるいはアーチカルバート）３５６を設置してカルバート受３５７で支承する。これにより、浸水防止型で軽量剛強な開閉蓋３５３を開ければマンホール内の足掛金具３５８…を介して内部に避難することができるとともに、カルバート３５６により２室が形成されているのでそこに長い時間避難することができる。カルバート３５６は奥行きの長い単体物で構成してあるが図１の右上欄に示すような胴長の短い連結合体式のもので構成してもよい。
３５９は睡眠も可能な避難椅子であり、図４のような上下複数段のベッド式のものを採用することもできる。【００１６】  マンホール内には水タンク３６０を含む保管庫３６１が設置されているので、飲料水とか食料、さらには寝具（枕や寝袋・毛布など）などの非常用品類を利用することができ、さらに、避難時の出入や避難生活時には、室内灯３６２…を利用することができる。室内に水が溜まるおそれもあるため排水ポンプ３６３を装備し、また、空調機器３６４も設置する。これらの吸気・排気は、逆Ｊ形で内部が仕切り板３６５により２つの通路に分けられているパイプ３６６により分離独立してなされるようになっている。パイプ３６６内は、排水ポンプ３６３・空調機器３６４・室内灯３６２などの電力を供給するための配線を通す通路ともなっている。電力は、非常時の停電を考慮してソーラー発電やエンジン発電器などで供給可能にするとよい。【００１７】  尚、パイプ３６６の津波が襲来する前側には、防護パイプ（対抗防護手段）３６７を立設すればパイプ３６６の折れなどを防止・保護することができる。また、パイプ３６６の外周には緩衝材を巻くようにしてもよい。【００１８】  図４は公園や避難指定地域用の津波対策例を示す。同実施形態は、図１、図２並びに図３の実施形態と同様の目的をもち、例えば、公園内の地盤３７０内に津波避難用装置を埋め込み式に設備して安全を確保することができるようにしたものである。【００１９】  地盤３７０に仮想線で示す埋設穴３７１を掘削してその底面に砕石３７２と基礎コンクリート３７３を施工して沈下しないようにしたあと、その上に大型の函型マンホール３７４の基礎ブロック下３７５をクレーンで吊り下ろして底面水平に設置する。この基礎ブロック下３７５の上に管芯が合致するようにして基礎ブロック上３７６を載せたあと中間ブロック３７７…を介して頂版３７８を載せて図示しない連結ボルトで上下ブロック間を結合する。
設置深さによれば基礎ブロック上３７６と中間ブロック３７７との間に中床版を介装固定することがある。この中床版は避難床面や途中休憩床を提供することができる。
頂版３７８上には円形マンホール部３７９を設置連結してその上端開口に開閉蓋３８０を取り付ける。この円形マンホール部３７９は省略して頂版３７８が地表に突き出すようにしてその開口に開閉蓋を装備することもある。【００２０】  マンホールの設置後、基礎ブロックの開口を介して、蓋３８１付きボックスカルバート（あるいはアーチカルバート）３８２を設置してカルバート受３８３で支承する。これにより、浸水防止型で軽量剛強な開閉蓋３８０を開ければマンホール内の足掛金具３８４…を介して内部に避難することができるとともに、カルバート３８２により２室が形成されているのでそこに長い時間避難することができる。カルバート３８２は奥行きの長い単体物で構成してあるが図１の右上欄に示すような胴長の短い連結合体式のもので構成してもよい。
３８５は睡眠も可能な避難椅子であり、図４のような上下複数段のベッド３８６のものを採用することもできる。【００２１】  マンホール内には水タンク３８７を含む保管庫３８８が設置されているので、飲料水とか食料、さらには寝具（枕や寝袋・毛布など）などの非常用品類を利用することができ、さらに、避難時の出入や避難生活時には、室内灯３８９…を利用することができる。室内に水が溜まるおそれもあるため排水ポンプ３９０を装備し、また、空調機器３９１も設置する。これらの吸気・排気は、逆Ｊ形で内部が仕切り板３９２により２つの通路に分けられているパイプ３９３により分離独立してなされるようになっている。パイプ３９３内は、排水ポンプ３９０・空調機器３９１・室内灯３８９などの電力を供給するための配線を通す通路ともなっている。電力は、非常時の停電を考慮してソーラー発電やエンジン発電器などで供給可能にするとよい。【００２２】  尚、パイプ３９３の津波が襲来する前側には、防護パイプ（対抗防護手段）３９４を立設すればパイプ３９３の折れなどを防止・保護することができる。また、パイプ３９３の外周には緩衝材を巻くようにしてもよい。地盤３７０は図４に仮想線で示すように頂版３７８の高さあるいは円形マンホール部３７９の上面高さにくるように設定することができる。図４の仮想線ａは地面から円錐状に盛り上がる防護錐で、マンホール部３７９の立ち上がる部分を津波から防護する。この防護錐ａは、土砂、モルタル、コンクリートなどで作られる。間防護錐ａはその傾斜角度をゆるくして避難スロープ（あるいは階段）とすることができる。【００２３】  図５は一般家庭の庭や公園・避難指定地域などの地盤３９７に基礎コンクリート３９８を敷設し緩衝材３９９を介して複数列（あるいは単体型）のカルバート４００を連結設置するとともにその両端に蓋４０１を備えて開閉自在な扉をその一方の扉４０２に備え付けたものであり、カルバート４００はアンカー４０３…によって地盤側に固定して津波で流されないようにする。カルバート４００の内部には保管庫４０４を備え付けて水や食料などの非常用品や用具などを収納するようにしたものである。４０５は照明器具、４０６はソーラーパネル、４０７は昇降調節自在な給排気パイプである。尚、扉４０２内を利用して水タンクにしてもよい。また、上下複段ベッド４０８のステップ４０９は、保管庫４０４の扉の一部で形成してもよい。【００２４】  図６は、図５に示す津波避難施設に津波防護手段を付加した実施形態である。地盤３９７上には図５に示すようにカルバート４００の連設により扉４０２付きの避難施設がアンカー固定されている。この施設には矢印方向に津波が襲来することが想定されており、その前面および後面側には防護部材４１２がアンカー４１３にて固定されカルバート４００に対しても止着具４１４により連結固定されている。防護部材４１２は、斜面部ｂ・底面部ａ・頂面部ｃで形成されている。その材質は金属や木材、樹脂のいずれでもよい。
尚、底面部は仮想線ａ´で示す如くカルバート４００の底側に入れて固定してもよい。また、底面部はａ´´の如く前向きに曲げてもよい。ａは下向きに伸ばし土中に埋設してもよい。【００２５】  図７の実施形態は、カルバート４００を地盤３９７内に埋め込んだものである。【００２６】  図８・図９の実施形態は、基礎ブロック４１５にカルバート４１６を連設するとともに上部に上部ブロック４１７およびマンホール部４１８を付加したものを避難施設とし、同施設を地盤上に設置してその上側に盛土（コンクリート）４１９を施工したものである。
盛土４１９により施設は津波から護られる。マンホール部４１８の上端蓋を通じて避難できるものである。【００２７】  図１０は地盤上あるいは埋め込み式に設置できる津波避難施設で、複数個の基礎ブロック４２１をカルバート４２２で連結し、その基礎ブロック４２１のあるものに扉４２３を付けて避難可能にしたものである。同施設を盛土で埋め込む場合は、基礎ブロック４２１上のマンホール部を通じて避難するようにする。
前記カルバートは、可とうボックス（アーチ）カルバートを含み、この可とうカルバートは、連設するカルバートの一部として構成する場合もある。【００２８】  図１１（平面図）、図１２（正面図）および図１３（図１２のＳ−Ｓ線断面図）は通り抜け遊具についての提案例を示す。大仏様を納める東大寺の柱の１つにはその根元に四角な通り抜け穴が設けられ、その通り抜け穴は大仏様の鼻の穴と同じ大きさとされ、その穴をくぐることができた人は幸せになり子供にあっては背が伸びるという微笑ましい民間信仰となっている。【００２９】  図１１ないし図１３の一例は柱の根元ではなくどこへでも運搬・移設可能で楽しめる通り抜け遊具であって、本体は木製や樹脂製などで作製される。同本体は、平面形状が長円形で２０ｃｍ前後の厚みをした座盤５００を備える。同座盤５００は、その一側（図１１・図１２においては右側）中央に平面コの字形をした横溝５０１を備えている。【００３０】  座盤５００の他側上部には横断面が一部円弧形とされた固定支柱５０２が１ないし１５ｍ程度の高さをもって脱着可能に立設固定されている。この固定支柱５０２の上側にはＬ形をなしてブラケット５０３が突設され、同ブラケット５０３には縦ねじ軸５０４が遊転自在に支持されている。この縦ねじ軸５０４の上端には往復回転自在な上ハンドル５０５が取り付けられる一方、同ねじ軸５０４の下端部は座盤５００に対し上下に移動しない状態で回転自在に支持されている。【００３１】  固定支柱５０２の一側には、平面コの字形をした縦溝５０６が上下貫通状に形成され、その溝５０６内に前記縦ねじ軸５０４が通されている。５０７は載り台で、その上に載って前記上ハンドル５０５を回転操作しやすくするためのものである。上ハンドル５０５が操作しやすい高さであるときはこの載り台５０７は構成しない。【００３２】  ５１０は上ブロックで、図１１のように円の中央部分を切ったような形をして固定支柱５０２の一側に設けられており、同ブロック５１０は、その一側に凸スライダ５１１を備えて前記縦溝５０６内を図１２の矢印のように昇降するようになっている。その昇降は、凸スライダ５１１の（メス）ねじ孔５１２に前記縦ねじ軸５０４が螺合した状態で上ハンドル５０５を正逆に回転させることでなされる。【００３３】  ５１３は横ブロックで、同ブロック５１３は、固定支柱５０２のような一部円支柱の形をして下端の凸ガイド５１４が前記横溝５０１内を矢印のように進退することで固定支柱５０２との対向間隔を大小に変えることができるようになっている。同ブロック５１３の進退は下ブラケット５１５に通された横ねじ軸５１６と下ハンドル５１７によりなされる。
尚、５１８はロック付き車輪、５１９は緩衝材であり、緩衝材５１９は、通り抜ける際の当たりを和らげるために機能する。
また、上ブロック５１０は、図１２の右上欄に示すように、中空型にして軽量化してもよい。中空型にすると、昇降操作が軽くなりしかも通り抜ける人に上ブロック５１０が落ちるようなことがあっても怪我をすることがない。他の部材５００，５０２，５１３なども中空型にしてもよい。本体は、アクリルなどにより透明材で作製することができ、この場合、遊具が軽量化して持ち運びが非常に簡単になるとともに、通り抜ける人の状況が回りの人から良く見えて面白さが倍増する。
さらに、上ブロック５１０の側部は、図１２に仮想線で示すように、数枚の脱着調整板５２０…で構成し、子供など用に小さい通り抜け空間を作ることができるようにしてもよい。また、同図右欄に示すように、ボルト・ナット５２１で隙間調整して幅Ｗを調整できるようにしてもよい。【００３４】  図に示す通り抜け遊具は他の場所に自由に運搬することができる。その際、同遊具は、車輪５１８で転動させて楽に移動させることができ移動後はロック機能によりその場所に定置することができる。設置後は、この遊具を利用して遊ぶ人の年齢や性別などの条件に応じて上ハンドル５０５・下ハンドル５１７を操作しながら上ブロック５１０および横ブロック５１３を昇降・進退させ、ゲージ５２２により上ブロック５１０および横ブロック５１３の端の位置を調整することにより通り抜け空間の高さＨおよび幅Ｗを遊ぶ人の条件合った好ましい寸法に調整することができ、あとはその空間を利用して通り抜けをして遊ぶことができる。
尚、図１２に示すように、上ブロック５１０は縦ねじ軸５０４に螺合しているが落下するおそれもあり、そのため固定支柱５０２あるいは横ブロック５１３にはストッパ５２３を装備して安全にすることがある。図１１の座盤５００に、図の上下方向に伸びたり収納できたりする倒れ防止板５２４を設けることができる。尚、底盤５００の下側には体重測定手段を設けることができる。【００３５】  図１４および図１５は他の提案例を示す。同例は、先にビデオ試写店で放火による火災が発生し何ら警報がなされないまま多くの利用者が逃げ遅れにより被害に遭ったことを受けて創作されたものである。図１４はその店内の１列のみを示す平面配置図を、図１５はその一部を取り出して示す縦断面図を示している。【００３６】  ５２８は各個室で、扉５２９・側壁５３０・天井壁５３１を備える。この例では個室５２８は側壁５３０が天井壁５３１よりも低い上部開放型とされている。各個室５２８内には扉側に観賞椅子５３２が、また前方には台座５３３上に必要なモニター５３４などが設置されている。【００３７】  ５３５は通しスリーブで、各側壁５３０の同じ高さに貫通して取り付けられ、これらのスリーブ５３５…を通じて進退線条材５３６が通されている。店内の個室５２８外のあるところにはブラケット５３７およびスリーブ５３５が設けられ、そのスリーブ５３５にも通るように前記進退線条材５３６の端部が通されているとともに、同線条材５３６の端には外部から引っ張り操作できるように警報操作部５３７が設けられている。そして、線条材５３６の両端にはバネ５３８が設けられて線条材５３６を往復運動させるようになっている。【００３８】  ５４０は鳴子で、線条材５３６の適所にぶら下げられて警報操作部５３７を操作することで鳴るようになっており、この鳴子５４０は竹管や金属管などによる形成される。線条材５３６には重り５４１をぶら下げて側壁５３０に衝当して警報を発するようにしてもよい。
また、鳴子は、図１５の右欄に示すように、鈴５４２や、鈴５４２と金属管５４３の組み合わせにより構成してもよい。【００３９】  図１６は、側壁５３０が天井壁５３１まで伸びて完全個室型のの部屋を構成したものにおいてスリーブ５３５・線条材５３６を設けて警報操作部５３７で操作可能としたもので、この例では、図１５のように鳴子５４０を線条材５３６の方向に揺すって鳴らすようにしてもよいが、図１６に示すように、一方を側壁５３０に他方を線条材５３６に吊り掛けたＹ字形の吊り材５４６に鳴子５４７をぶら下げて警報操作部５３７の操作により同鳴子５４７が台座５３３に当たって警報となるようにしてもよい。【００４０】  尚、ビルの各階層に通るように線条材５４８を通してそれに鳴子５４９…を付けて警報を全ての階層に伝えるようにしてもよい。操作部やバネなどの駆動方式は図１５と同様とする。【００４１】  図１８は褌についての提案例を示す。図は極く一般的に使用されている越中褌５５３でこの褌５５３は前垂れ５５４と左右のひも５５５からなっており、図示のようにひも５５５を腰周りに回して前で結ぶとともに前垂れ５５４を後側から前側に回して矢印のようにひも５５５内を通じて前垂れ状態として使用する。【００４２】  この褌５５３にユーモアのある趣向的な面白さをもたせるたものが図１８で、例えば、「努力」の「努」は「女」へんに「又」と書きその下に「力」を組合せてなっているが、褌５５３ではその前垂れ５５４の先部が丁度着装する人（女性の人）の又（股）の部分にマッチすることに鑑み、その部分に「力」の字を割り当てれば丁度全体として「努」の字を組み模した形となることに由り前垂れ５５４に「力」の字を付してユーモアのある褌５５３としたものである。尚、同図右欄のように、「努」の「力」の一字と、「努力」の下の
2010121436.tif 000003
同じ理由から、図１９のように、「怒る」の字もその１字である「心」を前垂れ５５４に付してその語意を連想させることによって面白さを表現するようにしたものである。【００４３】  図２０も同様の趣旨から女性が主に使用するエプロン５５６に「心」の字を表現したものであり、「力」を付してもよい。尚、「心」の字に更に関連付けるためその背景にハートマークを付してもよい。また、同図右欄に示すようにそのハートマークの部分をポケット５５７としてもよい。
前記例では褌およびエプロンを対象にしたが、パンツ・ズボン・スカート・ストッキング・腰巻などを対象としてもよく、また、標示される文字は貼り付けシールでもよい。【００４４】  図２１および図２２は付加的な提案例を示すもので、周壁６００で囲まれた回分式などの処理池６０１内の水面６０２上にはスカムが溜まり、それを除去するためのスカム除去装置が設けられてはいるが、構造が複雑でコストダウンが図れなかった。【００４５】  そこで、これらの図に示すように、水位に追従しながら水面上のスカムを池外に効率的に排除する簡単な構造のスカム除去装置を開発した。
この装置は、池底６０３上に平行に敷設した複数本のサポート６０４上に架台６０５を固定し、同架台６０５上に角パイプでなる固定側排出管６０６を立設固定するとともに、同排出管６０６の上端にスカム通口６０７を開設してある。排出管６０６の上側には、同管６０６の四隅位置からそれぞれ立ち上がりそれらの間を通じてスカムが流れ込むようにしたガイド支柱６０８が立設固定されている。【００４６】  ６１０は昇降側排出管で角パイプでなり、同管６１０は、前記固定側排出管６０６よりも少し大径で固定側排出管６０６との間にパッキン６１１と上下ガイドシュー６１２を介装してある。ローラー６１３により昇降側排出管６１０を上下させるようにしてもよい。【００４７】  ６１５は落とし込みトラフで、底壁６１６と４面の側壁６１７とを備えるもので、同トラフ６１５の中央に開けた流入口６１８まわりに前記昇降側排出管６１０の上端が連通状に結合されている。底壁６１６の底面にはフロート６１９が取り付けられて側壁６１７の全周が水面６０２よりもｈｃｍ下がった状態に常に保たれるようにされており、側壁６１７の各上端には水面６０２よりも上に数ｃｍ突出するように堰板６２０が上下調節可能に取り付けられ、堰板６２０以外の周部が呑込口６２１となっている。【００４８】  ガイド支柱６０８の上端には第２シーブ６２３が設けられる一方、周壁６００上に立設したステー６２４上には第１シーブ６２５が設けられ、これら両シーブ６２５，６２３を介して掛けられた伝達線条材６２６の周壁６００側の一端は電動シリンダなどの駆動手段６２７に連結されている一方、他端にはゴム球などによるバルブ本体６２８が取り付けられている。バルブ本体６２８は、駆動手段６２７による上下駆動によりスカム通口６０７を開閉自在とする。駆動手段は手動でもよい。【００４９】  尚、６３０はスカム抜出管で、同抜出管６３０は固定側排出管６０６に連通状に接続され池外にスカム水を排出するようになっている。矢印のように自然排出するかあるいはポンプＰにより引き抜くようにする。
また、６３１はウエイトで、一端がトラフ６１５に接続されてフロート６１９の浮力とともにトラフ６１５を持上げるように機能する。【００５０】  水面６０２の水位は図２２にＳで示すストロークで上下変動する。その変動に応じて落とし込みトラフ６１５は常にｈの落差を保ちながら追従する。その際、昇降側排出管６１０は固定側排出管６０６に密閉状態を保ちながら昇降する。側壁６１７の上端と水面６０２との間の落差ｈにより水面に浮遊するスカムはトラフ６１５内に図２１の矢印のように落とし込まれ、昇降側排出管６１０内におけるバルブ本体６２８より上の部分に流入水とともに溜められる。そして、駆動手段６２７が引き動作すると、伝達線条材６２６に引かれてバルブ本体６２８が開かれ、溜まっていたスカム水が固定側排出管６０６からスカム抜出管６３０を経て外部に引き抜かれる。
一定の引き抜きを終えると、駆動手段６２７が逆動作することにより伝達線条材６２６は緩み、それによりバルブ本体６２８は下がってバルブ本体６２８が閉止する。
【図面の簡単な説明】
【００５１】
【図１】本発明の一実施形態を示す津波避難施設の縦断面図。
【図２】図１の施設の模式平面図。
【図３】他の実施形態を示す津波避難施設の縦断面図。
【図４】他の津波避難施設を示す縦断面図。
【図５】他の津波避難施設を示す縦断面図。
【図６】他の実施形態を示す正面図。
【図７】他の実施形態を示す正面図。
【図８】他の実施形態を示す埋設型津波避難施設の縦断面図。
【図９】図８のＨ−Ｈ線断面図。
【図１０】他の実施形態を示す施設平面図。
【図１１】他の提案例を示す通り抜け遊具の平面図。
【図１２】図１１の遊具の正面図。
【図１３】図１２のＳ−Ｓ線断面図。
【図１４】個室火災時の警報方式を示す平面図。
【図１５】図１４の縦断面図。
【図１６】警報方式の別の例を示す縦断面図。
【図１７】ビルでの警報方式の応用例を示す縦断面図。
【図１８】他の提案例を示す正面図。
【図１９】他の提案例を示す正面図。
【図２０】他の提案例を示す正面図。
【図２１】他の提案例を図２２のＴ−Ｔ線に沿って示す断面図。
【図２２】図２１の縦断面図。
【符号の説明】
【００５２】  ３０９…裾部分  ３１０…掘削洞  ３１１…内張材  ３１２…支柱  ３１９…避難扉  ３２３…水溜め  ３２４…ポンプ  ３２６…ソーラーパネル  ３３０…エアーコンディショナー  ３４８…函型マンホール  ３４９，３５０…基礎ブロック上下  ３５２…マンホール部  ３５３…開閉蓋  ３６４…空調機器。
【図１】
2010121436.tif 000004
【図２】
2010121436.tif 000005
【図３】
2010121436.tif 000006
【図４】
2010121436.tif 000007
【図５】
2010121436.tif 000008
【図６】
2010121436.tif 000009
【図７】
2010121436.tif 000010
【図８】
2010121436.tif 000011
【図９】
2010121436.tif 000012
【図１０】
2010121436.tif 000013
【図１１】
2010121436.tif 000014
【図１２】
2010121436.tif 000015
【図１３】
2010121436.tif 000016
【図１４】
2010121436.tif 000017
【図１５】
2010121436.tif 000018
【図１６】
2010121436.tif 000019
【図１７】
2010121436.tif 000020
【図１８】
2010121436.tif 000021
【図１９】
2010121436.tif 000022
【図２０】
2010121436.tif 000023
【図２１】
2010121436.tif 000024
【図２２】
2010121436.tif 000025